(57)【要約】  撮像条件に応じた最適な注入条件の設定を容易に行うことができると共に、撮像条件に基づいて注入条件を求める際に、誤入力及び誤操作を防止することができる撮像システムを提供する。撮像システム１は、薬液の注入装置２と、注入装置に接続され且つ被写体を撮像する医療用の撮像装置３とを備える撮像システムであって、撮像装置は、外部から取得した被写体情報に基づいて第１撮像条件を求めると共に、第１撮像条件を注入装置に送信する制御部３５と、第１撮像条件を変更した第２撮像条件を入力するための入力部３６と、を有し、注入装置は、第１撮像条件に基づいて第１注入条件を求めると共に、第２撮像条件を撮像装置から受信した場合は、第１注入条件を第２撮像条件に基づく第２注入条件に変更する制御部２５を有する。
2015111401.tif 000002
【特許請求の範囲】
【請求項１】
薬液の注入装置と、前記注入装置に接続され且つ被写体を撮像する医療用の撮像装置とを備える撮像システムであって、
前記撮像装置は、
外部から取得した被写体情報に基づいて第１撮像条件を求めると共に、前記第１撮像条件を前記注入装置に送信する制御部と、
前記第１撮像条件を変更した第２撮像条件を入力するための入力部と、を有し、
前記注入装置は、
前記第１撮像条件に基づいて第１注入条件を求めると共に、前記第２撮像条件を前記撮像装置から受信した場合は、前記第１注入条件を前記第２撮像条件に基づく第２注入条件に変更する制御部を有する、撮像システム。
【請求項２】
前記撮像装置の前記制御部は、前記第１撮像条件の送信前に、前記被写体情報を前記注入装置に送信し、
前記注入装置の前記制御部は、前記被写体情報に基づいて事前注入条件を求めると共に、前記第１撮像条件を受信した場合は、前記事前注入条件を前記第１撮像条件に基づく前記第１注入条件に変更する、請求項１に記載の撮像システム。
【請求項３】
前記注入装置の前記制御部は、前記第１注入条件及び前記第２注入条件が注入可能条件を満たすように、前記第１注入条件及び前記第２注入条件を求める、請求項１又は２に記載の撮像システム。
【請求項４】
前記注入装置は、外部から注入条件を取得した場合に、前記取得した注入条件が注入可能条件を満たすか否かを判断する安全確認部を備える、請求項１から３のいずれか１項に記載の撮像システム。
【請求項５】
前記注入装置は、注入結果情報を記憶する記憶部を備え、
前記撮像装置の前記制御部は、撮像結果情報を前記注入装置に送信し、
前記注入装置の前記制御部は、前記注入結果情報に前記撮像結果情報を加える、請求項１から４のいずれか１項に記載の撮像システム。
【請求項６】
前記注入装置は、前記第１注入条件を表示する表示部と、前記薬液を注入し且つディスプレイを有する注入部と、を備え、
前記注入装置の前記制御部は、前記第１撮像条件を前記表示部と前記ディスプレイに表示させる、請求項１から５のいずれか１項に記載の撮像システム。
【請求項７】
前記撮像装置の前記制御部は、独自注入条件を求めると共に、前記第１注入条件又は前記第２注入条件と前記独自注入条件とを比較するように構成され、
前記第１注入条件又は前記第２注入条件と前記独自注入条件とが一致しない場合に、前記撮像装置の前記制御部が不一致通知を行う、請求項１から６のいずれか１項に記載の撮像システム。
【請求項８】
薬液の注入装置と、前記注入装置に接続され且つ被写体を撮像する医療用の撮像装置とを備える撮像システムであって、
前記撮像装置は、
外部から取得した被写体情報に基づいて第１撮像条件を求めると共に、前記第１撮像条件を前記注入装置に送信する制御部と、
前記第１撮像条件を変更した第２撮像条件を入力するための入力部と、を有し、
前記注入装置は、
前記第１撮像条件に基づいて第１注入条件を求めると共に、前記第２撮像条件を前記撮像装置から受信した場合は、前記第１注入条件を前記第２撮像条件に基づく第２注入条件に変更する制御部を有し、
前記撮像装置の前記制御部は、外部から第３注入条件を取得すると共に、前記第１注入条件又は前記第２注入条件と前記第３注入条件とを比較するように構成され、
前記第１注入条件又は前記第２注入条件と前記第３注入条件とが一致しない場合に、前記撮像装置の前記制御部が不一致通知を行う、撮像システム。
【請求項９】
被写体を撮像する医療用の撮像装置に接続される薬液の注入装置であって、
前記撮像装置から受信した第１撮像条件に基づいて第１注入条件を求めると共に、前記第１撮像条件を変更した第２撮像条件を前記撮像装置から受信した場合は、前記第１注入条件を前記第２撮像条件に基づく第２注入条件に変更する制御部を有する、注入装置。
【発明の詳細な説明】
【技術分野】
【０００１】
本発明は、医療用の撮像システム、特に、医療用の撮像装置と薬液の注入装置とを備える撮像システム、及びこの撮像システムの注入装置に関する。
【背景技術】
【０００２】
医療用の撮像システムとして、特許文献１には、薬液注入装置による薬液の注入条件の設定のためのデータ入力と、ＣＴスキャナによる画像の撮像条件の設定のためのデータ入力とを、共通の操作機によって行うことができる撮像システムが記載されている。
【先行技術文献】
【特許文献】
【０００３】
【特許文献１】国際公開第２００８／０１８３８５号
【発明の概要】
【発明が解決しようとする課題】
【０００４】
しかし、特許文献１のシステムでは、共通の操作機から入力されたデータに基づいて、注入条件が求められる。そのため、設定された撮像条件に基づいて薬液の注入条件を変更する場合には、改めて操作機によって入力をやり直す必要がある。また、オペレーターが撮像条件を確認した後に、注入条件を変更する必要がある。
【課題を解決するための手段】
【０００５】
上記課題を解決するため、本発明の一例としての撮像システムは、薬液の注入装置と、前記注入装置に接続され且つ被写体を撮像する医療用の撮像装置とを備える撮像システムであって、前記撮像装置は、外部から取得した被写体情報に基づいて第１撮像条件を求めると共に、前記第１撮像条件を前記注入装置に送信する制御部と、前記第１撮像条件を変更した第２撮像条件を入力するための入力部と、を有し、前記注入装置は、前記第１撮像条件に基づいて第１注入条件を求めると共に、前記第２撮像条件を前記撮像装置から受信した場合は、前記第１注入条件を前記第２撮像条件に基づく第２注入条件に変更する制御部を有する。【０００６】
また、本発明の他の例としての撮像システムは、薬液の注入装置と、前記注入装置に接続され且つ被写体を撮像する医療用の撮像装置とを備える撮像システムであって、前記撮像装置は、外部から取得した被写体情報に基づいて第１撮像条件を求めると共に、前記第１撮像条件を前記注入装置に送信する制御部と、前記第１撮像条件を変更した第２撮像条件を入力するための入力部と、を有し、前記注入装置は、前記第１撮像条件に基づいて第１注入条件を求めると共に、前記第２撮像条件を前記撮像装置から受信した場合は、前記第１注入条件を前記第２撮像条件に基づく第２注入条件に変更する制御部を有し、前記撮像装置の前記制御部は、外部から第３注入条件を取得すると共に、前記第１注入条件又は前記第２注入条件と前記第３注入条件とを比較するように構成され、前記第１注入条件又は前記第２注入条件と前記第３注入条件とが一致しない場合に、前記撮像装置の前記制御部が不一致通知を行う。【０００７】
また、本発明の他の例としての注入装置は、被写体を撮像する医療用の撮像装置に接続される薬液の注入装置であって、前記撮像装置から受信した第１撮像条件に基づいて第１注入条件を求めると共に、前記第１撮像条件を変更した第２撮像条件を前記撮像装置から受信した場合は、前記第１注入条件を前記第２撮像条件に基づく第２注入条件に変更する制御部を有する。【０００８】
これにより、撮像条件に応じた最適な注入条件の設定を容易に行うことができる。また、撮像条件に基づいて注入条件を求める際に、誤入力及び誤操作を防止することができる。【０００９】
本発明のさらなる特徴は、添付図面を参照して例示的に示した以下の実施例の説明から明らかになる。
【図面の簡単な説明】
【００１０】
【図１】第１実施形態に係る撮像システムを示す概略図である。
【図２】第１実施形態に係る撮像システムを示す概略ブロック図である。
【図３】第１実施形態に係る撮像システムにおける撮像条件及び注入条件の設定を説明する。
【図４】第２実施形態に係る撮像システムにおける撮像条件及び注入条件の設定を説明する。
【図５】変形形態に係る撮像システムにおける撮像条件及び注入条件の設定を説明する。
【発明を実施するための形態】
【００１１】
以下、本発明を実施するための例示的な実施形態を、図面を参照して詳細に説明する。ただし、以下の実施形態で説明する寸法、材料、形状、構成要素の相対的な位置等は任意であり、本発明が適用される装置の構成又は様々な条件に応じて変更できる。また、特別な記載がない限り、本発明の範囲は、以下に具体的に記載された実施形態に限定されるものではない。
【００１２】
［第１実施形態］
図１に示すように、撮像システム１は薬液の注入装置２と、注入装置２に接続され且つ被写体を撮像する医療用の撮像装置３とを備えている。注入装置２と撮像装置３とは、ゲートウェイ装置１１０を介して有線又は無線で接続されている。そして、注入装置２は、シリンジに充填された薬液、例えば、生理食塩水又は各種造影剤等を被写体としての患者の体内に注入する。また、撮像装置３としては、例えば、ＭＲＩ（Magnetic Resonance Imaging）装置、ＣＴ（Computed Tomography）装置、アンギオ撮像装置、ＰＥＴ（Positron Emission Tomography）装置、ＳＰＥＣＴ（Single Photon Emission Computed Tomography）装置、ＣＴアンギオ装置、ＭＲアンギオ装置、超音波診断装置、及び血管撮像装置等の各種医療用撮像装置がある。なお、第１実施形態では、撮像装置３としてＣＴ装置を備えた撮像システム１について説明する。
【００１３】
注入装置２は、薬液が充填されたシリンジが搭載されると共に、薬液を注入し且つディスプレイ２１１を有する注入部としての注入ヘッド２１と、注入ヘッド２１を保持するスタンド２２と、注入ヘッド２１に接続された制御装置としてのコンソール２３とを有する。ただし、注入装置２は、制御装置としてのコンソール２３に代えて、注入ヘッド２１に接続された制御装置と、該制御装置に接続され薬液の注入状況等が表示される表示部（タッチパネルディスプレイ等）を有していてもよい。この場合、注入ヘッド２１及び制御装置は、スタンド２２と一体的に構成することもできる。また、スタンド２２に代えて天吊部材を設け、該天吊部材を介して天井から注入ヘッド２１を天吊することもできる。
【００１４】
コンソール２３は、通信部２０を有しており（図２）、該通信部２０を介して注入ヘッド２１、撮像装置３、ゲートウェイ装置１１０及びサーバー１００等と有線又は無線で通信を行うことができる。また、注入装置２は、電源又はバッテリー、コンソール２３に接続されるハンドスイッチ、又は注入ヘッド２１を遠隔操作する遠隔操作装置等を有していてもよい。この遠隔操作装置は、注入ヘッド２１を遠隔操作して注入を開始又は停止することができる。また、電源又はバッテリーは、注入ヘッド２１、制御装置（コンソール２３）のいずれかに設けることができ、これらとは別に設けることもできる。
【００１５】
撮像装置３は、患者にＸ線を曝射する撮像部３１と、撮像部３１に接続された制御装置３２と、制御装置３２に接続された表示部としてのディスプレイ３３とを有する。ただし、撮像装置３の制御装置３２とディスプレイ３３とは、一体的に構成することもできる。
【００１６】
撮像部３１は、寝台と、被写体である患者にＸ線を照射するＸ線源と、患者を透過したＸ線を検出するＸ線検出器等を有している。そして、撮像部３１は、患者にＸ線を曝射し、患者を透過したＸ線に基づいて患者の体内を逆投影することで、患者の透視画像を撮像する。なお、撮像部３１は、Ｘ線に代えて、ラジオ波又は超音波を用いて撮像してもよい。また、制御装置３２は、通信部３０を有しており（図２）、該通信部３０を介して撮像部３１、注入装置２、ゲートウェイ装置１１０及びサーバー１００等と有線又は無線で通信を行うことができる。
【００１７】
注入ヘッド２１は、シリンジが搭載されるシリンジ保持部を有すると共に、求められた注入プロトコルに従ってシリンジ内の薬液を押し出す駆動機構を内蔵している。この注入プロトコルには、注入量、注入速度、注入時間、注入タイミング、造影剤濃度及び注入圧力等の注入条件に関する情報が含まれている。また、注入ヘッド２１は、注入条件、注入状況、装置の入力状態、設定状態、及び各種注入結果等が表示されるヘッドディスプレイ２１１と、駆動機構の動作を入力するための操作部２１２とを有している。
【００１８】
操作部２１２には、駆動機構の前進ボタン、駆動機構の後進ボタン、又は最終確認ボタン等が設けられている。なお、薬液が注入される際には、注入ヘッド２１に搭載されたシリンジの先端部に延長チューブ等が接続される。そして、延長チューブの接続等の注入準備が完了すると、オペレーターが最終確認ボタンを押す。これにより、注入ヘッド２１は、注入を開始できる状態で待機する。シリンジから押し出された薬液は、延長チューブ等を介して、患者の体内へ注入される。
【００１９】
注入ヘッド２１には、例えば、ＲＦＩＤチップを有するプレフィルドシリンジ等の、種々のシリンジを搭載することができる。そして、注入ヘッド２１は、シリンジに取り付けられたＲＦＩＤチップの読み取りを行う読み取り部を内蔵している。このＲＦＩＤチップには、薬液に関連する薬液情報が記憶されている。薬液情報としては、製品名称、製品ＩＤ、化学分類、含有成分、濃度、粘度、消費期限、シリンジ容量、シリンジ耐圧、シリンダ内径、ピストンストローク及びロット番号等がある。
【００２０】
図２に示されるサーバー１００（外部記憶装置）としては、例えば、ＲＩＳ（Radiology Information System）、ＰＡＣＳ（Picture Archiving and Communication Systems）、及びＨＩＳ（Hospital Information System）等がある。また、検像システム又は画像作成用ワークステーション等を用いることもできる。そして、撮像装置３は、通信部３０を介してサーバー１００から情報を受信することができる。また、撮像装置３は、通信部３０を介してサーバー１００へ情報を送信することができる。一方、注入装置２は、撮像装置３、ゲートウェイ装置１１０及び通信部２０を介して、サーバー１００から情報を受信することができる。また、注入装置２は、通信部２０、ゲートウェイ装置１１０及び撮像装置３を介してサーバー１００へ情報を送信することができる。
【００２１】
サーバー１００には、予め検査オーダーが記憶されている。この検査オーダーは、患者に関する情報としての被写体情報と、検査内容に関する情報としての検査情報とを含んでいる。この被写体情報としては、患者番号（患者ＩＤ）、患者氏名、性別、生年月日、年齢、身長、体重、血液量、体表面積、患者の疾病、心拍数、及び心拍出量等がある。また、検査情報としては、検査番号（検査ＩＤ）、検査部位（撮像部位）、検査日時、薬液種類、薬液名称、及び撮像プラン等がある。また、サーバー１００は、撮像装置３から送信された画像のデータ等の撮像結果に関する情報と、注入装置２から送信された注入結果に関する情報を記憶することができる。
【００２２】
注入装置２及び撮像装置３に接続されたゲートウェイ装置１１０は、サーバー１００にも接続されている。そして、ゲートウェイ装置１１０は、撮像装置３から受信したデータを変換して、注入装置２に送信することができる。同様に、ゲートウェイ装置１１０は、注入装置２から受信したデータを変換して、撮像装置３に送信することができる。さらに、ゲートウェイ装置１１０は、撮像装置３及び注入装置２から受信したデータを変換して、サーバー１００に送信することができる。これらの注入装置２、撮像装置３及びサーバー１００は、ＤＩＣＯＭ（Digital Imaging and Communications in Medicine）、又はＨＬ７（Health Level Seven）等の医療データの規格で各種データを相互に送受信している。なお、注入装置２とサーバー１００とを通信部２０を介して接続し、撮像装置３を介さずに、注入装置２とサーバー１００とがデータを直接送受信することもできる。
【００２３】
図２に示すように、撮像装置３は、撮像プラン等が表示される表示部としてのディスプレイ３３と、制御プログラムと撮像プランに関する情報等が記憶されている記憶部３４としてのメモリー等と、撮像装置３を制御する制御部３５としてのＣＰＵ等と、患者の撮像を行う撮像部３１と、オペレーターが情報を入力するための入力部３６としてのキーボード等を有している。なお、撮像プランには、撮像部位、実効管電圧、機種名、メーカー名、撮像時間、管電圧、撮像範囲、回転速度、ヘリカルピッチ、曝射時間、線量及び撮像方法等の撮像条件に関する情報が含まれている。
【００２４】
制御部３５は、サーバー１００等の外部から取得した検査オーダーに含まれる被写体情報に基づいて、基礎となる撮像条件である第１撮像条件を求めて、記憶部３４に記憶させる。また、制御部３５は、通信部３０を介して第１撮像条件を注入装置２に送信する。また、オペレーターは、入力部３６を介して、第１撮像条件を変更した変更後の撮像条件である第２撮像条件を、制御部３５に入力することができる。そして、制御部３５は、第２撮像条件を記憶部３４に記憶させる。
【００２５】
この制御部３５は、記憶部３４に記憶された制御プログラム等に基づいて、撮像装置３の全体を制御する。また、制御部３５は、種々の演算、制御及び判別等の各種処理についても統括的に制御する。すなわち、制御部３５は、サーバー１００等の外部から取得した情報、記憶部３４に記憶されている情報、及び入力部３６から入力された情報等に基づいて撮像プランの撮像条件を求める。そして、制御部３５は、求めた撮像プランに従うように撮像部３１を制御して患者を撮像する。なお、第１実施形態では、記憶部３４及び制御部３５は、撮像装置３の制御装置３２に設けられており、該制御装置３２はディスプレイ３３に接続されている。このディスプレイ３３には、装置の入力状態、設定状態、撮像結果、及び各種情報等が表示される。
【００２６】
注入装置２は、制御プログラム、注入プロトコルに関する情報及び薬液に関する情報等が記憶されている記憶部２４としてのメモリー等と、注入装置２を制御する制御部２５としてのＣＰＵ等と、注入プロトコル等が表示されると共に入力部としても機能する表示/入力部としてのタッチパネル２６と、薬液を注入する注入ヘッド２１とを有している。なお、第１実施形態では、タッチパネル２６、記憶部２４及び制御部２５は、コンソール２３に設けられている。このタッチパネル２６には、注入プロトコルの他に、装置の入力状態、設定状態、注入結果、及び各種情報等が表示される。そして、オペレーターは、タッチパネル２６を介して所定の指令又はデータ等を入力することができる。なお、注入装置２は、タッチパネル２６に代えて、表示部としてのディスプレイと、入力部としてのキーボード等のユーザインタフェースとを備えていてもよい。
【００２７】
制御部２５は、撮像装置３から通信部２０を介して第１撮像条件を受信し、該第１撮像条件に基づいて最初の撮像条件を反映させた注入条件である第１注入条件を求める。そして、制御部２５は、第２撮像条件を撮像装置から受信した場合、第２撮像条件に基づいて第２注入条件を求めると共に、第１注入条件を第２注入条件に変更する。
【００２８】
この制御部２５は、記憶部２４に記憶された制御プログラム等に基づいて、注入装置２の全体を制御する。また、制御部２５は、種々の演算、制御及び判別等の各種処理についても統括的に制御する。すなわち、制御部２５は、撮像装置３等の外部から取得した情報、記憶部２４に記憶されている情報、及びタッチパネル２６から入力された情報等に応じて注入プロトコルの注入条件を求める。その後、制御部２５は、求めた注入プロトコルに従うように注入ヘッド２１を制御して薬液を注入する。
【００２９】
なお、注入装置２の記憶部２４及び撮像装置３の記憶部３４は、制御部が動作するためのシステムワークメモリであるＲＡＭ（Random Access Memory）、プログラム若しくはシステムソフトウェア等を格納するＲＯＭ（Read Only Memory）、又はハードディスクドライブ等を有する。また、注入装置２の制御部２５及び撮像装置３の制御部３５は、ＣＤ（Compact Disc）及びＤＶＤ（Digital Versatile Disc）等の可搬記録媒体、又はインターネット上のサーバー等の外部記憶媒体に記憶されたプログラムに従って各種処理を制御することもできる。
【００３０】
続いて、図３を参照して第１実施形態に係る撮像について説明する。なお、以下の説明における撮像装置３の各種処理は、制御プログラムに従い、撮像装置３の制御部３５によって制御される。同様に、注入装置２の各種処理は、制御プログラムに従い、注入装置２の制御部２５によって制御される。
【００３１】
オペレーターが撮像装置３と注入装置２の電源をオンにすると、撮像装置３と注入装置２は、互いに接続・同期確認を行う。また、撮像装置３は、外部のサーバー１００から被写体情報を含む検査オーダーを取得して、ディスプレイ３３に表示させる。そして、オペレーターは、表示された検査オーダーの内容を確認する。また、撮像装置３が複数の検査オーダーを取得した場合は、オペレーターが内容を確認して所望の検査オーダーを選択する。なお、撮像装置３は、接続・同期確認のステータス又は確認結果を、ディスプレイ３３に表示させてもよい。また、注入装置２は、接続・同期確認のステータス又は確認結果を、タッチパネル２６又はヘッドディスプレイ２１１に表示させてもよい。これにより、接続・同期が成立しない非連動時に、オペレーターによる誤操作を防止できるので、安全性が向上する。
【００３２】
撮像装置３は、検査オーダーから被写体情報を取得すると共に、オペレーターが確認した検査オーダーを、ゲートウェイ装置１１０を介して注入装置２に送信する。これにより、注入装置２は、撮像装置３を介してサーバー１００に記憶されている検査オーダーを取得することができる。そして、注入装置２は、検査オーダーから注入プロトコルを求めるために必要な被写体情報、例えば、患者の体重等を取得する。また、注入装置２は、検査オーダーに基づく注入条件である事前注入条件を求める。すなわち、注入装置２は、検査オーダーから取得した被写体情報に基づいて、事前注入条件を求める。例えば、注入装置２は、患者の体重に基づいて薬液の注入量を求めるための演算等を行う。そして、注入装置２は、求められた注入条件をタッチパネル２６に表示させる。
【００３３】
また、注入装置２は、撮像プラン又は撮像条件取得前に、予め記憶部２４に記憶された標準撮像条件に基づいて、標準撮像条件に応じた注入条件の演算を行ってもよい。この場合、撮像プラン又は撮像条件取得後に演算が行われる注入条件についても、タッチパネル２６の表示が空欄ではなくなる。すなわち、注入装置２は、撮像プラン又は撮像条件取得後に演算が行われる注入条件についても、標準撮像条件に基づく注入条件をタッチパネル２６に表示する。これにより、オペレーターは、標準撮像条件に基づく注入条件と、求められた撮像プランの撮像条件に基づく注入条件とを比較して確認することができる。
【００３４】
撮像装置３は、検査オーダーに応じた第１撮像条件を含む撮像プランを求め、ディスプレイ３３に表示させる。これにより、オペレーターは、表示された撮像プランの内容を確認することができる。このとき、撮像装置３は、検査オーダーに応じた複数の撮像プランを求めることもできる。この場合、オペレーターは、内容を確認して所望の撮像プランを選択する。そして、撮像装置３は、オペレーターが確認した撮像プランを注入装置２に送信し、注入装置２は撮像プランを受信する。
【００３５】
注入装置２は、第１撮像条件を含む撮像プランを受信すると、注入プロトコルに撮像プランを反映させる。すなわち、注入装置２は、受信した撮像プランから注入プロトコルを求めるために必要な第１撮像条件、例えば、撮像時間等を取得する。そして、注入装置２は、第１撮像条件に応じて事前注入条件を自動的に変更する。例えば、注入装置２は、撮像時間に基づき、注入時間を延ばす又は縮めるように変更する。ただし、事前注入条件を変更する必要がなければ、注入プロトコルは変更されずに維持される。
【００３６】
換言すると、撮像装置３は、第１撮像条件の送信前に、被写体情報を含む検査オーダーを注入装置２に送信する。そして、注入装置２は、検査オーダーから被写体情報を取得し、この被写体情報に基づいて事前注入条件を求める。また、注入装置２は、撮像装置３から第１撮像条件を受信した場合は、事前注入条件を第１撮像条件に基づく第１注入条件に変更する。
【００３７】
オペレーターは、撮像プランを確認して選択した後に、第１撮像条件に不備があれば、撮像装置３の入力部３６から第１撮像条件を第２撮像条件に変更する。この場合、撮像装置３は、変更された第２撮像条件を注入装置２に送信する。なお、オペレーターが第１撮像条件を複数回変更した場合、撮像装置３は、都度第２撮像条件を注入装置２に送信する。そして、注入装置２は、取得した第２撮像条件に基づく注入プロトコルとなるように、第１注入条件を自動的に変更する。例えば、注入装置２は、変更された管電圧に基づき、造影剤量、ヨード量又は造影剤濃度を増加させる又は減少させるように変更する。ただし、第１注入条件を変更する必要がなければ、注入プロトコルは変更されずに維持される。
【００３８】
これにより、オペレーターが撮像プランを選択し、必要に応じて撮像条件を変更するのみで、注入装置２が最適な注入プロトコルを求めることができる。そのため、オペレーターが必要な情報を注入装置２に入力する作業、及び撮像条件に応じて注入条件を変更する作業を省くことができる。さらに、この作業による誤入力及び誤操作も防止することができる。
【００３９】
ここで、注入プロトコルを求める又は注入条件を変更するとき、注入装置２は、注入条件が予め記憶部２４に記憶された薬液の注入可能条件を満たすように、注入プロトコルを求める。すなわち、注入装置２は、事前注入条件、第１注入条件及び第２注入条件が注入可能条件を満たすように、それぞれの注入条件を求める。例えば、注入装置２は、予め定められた注入可能範囲を超えない範囲で注入条件を演算する。
【００４０】
なお、注入装置２は、撮像装置３等の外部から注入条件を取得した場合に、取得した注入条件が注入可能条件を満たすか否かを判断する安全確認部２５１を備えている。そして、オペレーターが手動で入力した又は変更した注入条件を注入装置２が取得した場合、注入装置２は、この注入条件を安全確認部２５１に注入可能条件と比較させる。そして、安全確認部２５１が注入可能条件を満たさないと判断した場合、注入装置２は、注入条件が注入可能条件を満たすように自動的に変更する。ここで、注入装置２は、変更前後の注入条件と、自動的に変更した旨の表示をタッチパネル２６に表示してもよい。これにより、オペレーターは、入力された注入条件と、自動的に変更された注入条件とを比較して確認することができる。
【００４１】
例えば、注入速度が注入ヘッド２１の注入可能速度よりも高い場合、注入装置２は、注入プロトコルの注入速度を下げるように注入条件を自動的に変更する。また、患者が乳幼児であり、薬液の注入量が乳幼児に対する注入可能量を超える場合、注入装置２は、注入プロトコルの注入量を下げるように注入条件を自動的に変更する。さらに、注入時間が撮像時間より短い場合、注入装置２は、注入時間を延ばすように注入条件を自動的に変更する。なお、注入条件が注入可能条件を満たさない場合、注入装置２は、タッチパネル２６に警告を表示させてもよい。この場合、注入装置２は、注入の開始が指示されても薬液の注入を開始しない。これにより、誤った注入条件で薬液が注入されることは、確実に防止される。
【００４２】
注入条件を求めた場合及び注入条件が変更された場合、注入装置２は、これらの注入条件を撮像装置３に送信すると共に、タッチパネル２６に表示させる。ここで、注入条件を受信した撮像装置３は、ディスプレイ３３に表示させてもよい。これにより、オペレーターは、注入装置２のタッチパネル２６又は撮像装置３のディスプレイ３３のいずれの画面でも、注入プロトコルの内容を確認することができる。
【００４３】
また、注入装置２は、タッチパネル２６に表示される情報を注入ヘッド２１に送信し、ヘッドディスプレイ２１１に表示させることもできる。具体的に、コンソール２３の表示部（タッチパネル２６）が、事前注入条件、第１注入条件又は第２注入条件を表示すると同時に、注入装置２は、注入ヘッド２１のヘッドディスプレイ２１１にもそれぞれの注入条件を表示させることができる。さらに、コンソール２３の表示部が受信した撮像プランの第１及び第２撮像条件を表示すると同時に、注入装置２は、ヘッドディスプレイ２１１にも第１及び第２撮像条件を表示させることができる。例えば、注入装置２は、ヘッドディスプレイ２１１に曝射開始（予定）タイミング又は撮像開始タイミング等を表示させることができる。これにより、注入装置２の近傍にいるオペレーターが、注入プロトコル、撮像プラン又はその両方を確認することができる。また、注入ヘッド２１は通常、患者の近傍に配置される。そのため、オペレーターは、注入プロトコル、撮像プラン又はその両方を、患者の容体を見ながら確認することができる。
【００４４】
さらに、注入装置２は、それぞれの注入条件と同時に、患者氏名、患者ＩＤ又は検査ＩＤ等の情報を、ヘッドディスプレイ２１１に表示させてもよい。これにより、誤った患者に対して薬液注入が行われることを防止できるので、安全性が向上される。
【００４５】
オペレーターによる確認の結果、患者の状態が変わった等、注入条件の変更が必要であれば、オペレーターはタッチパネル２６から手動で注入条件を変更する。この場合、注入装置２は、安全確認部２５１により入力された注入条件の安全確認を行う。そして、注入可能条件を満たしていれば、入力された注入条件を撮像装置３に送信する。また、撮像装置３は、受信した注入条件をディスプレイ３３に表示させてもよい。
【００４６】
注入ヘッド２１の読み取り部は、ＲＦＩＤチップを有するシリンジが搭載された時に、ＲＦＩＤチップから薬液情報を取得する。そして、注入装置２は、薬液情報を撮像装置３に送信する。同時に、注入装置２は、薬液情報をタッチパネル２６に表示させる。これにより、オペレーターは、正しいシリンジが搭載されているか否かを、注入プロトコルと同時に確認することができる。また、薬液情報を受信した撮像装置３は、ディスプレイ３３に薬液情報を表示させてもよい。これにより、オペレーターは、注入装置２のタッチパネル２６又は撮像装置３のディスプレイ３３のいずれの画面でも、薬液情報の内容を確認することができる。なお、注入プロトコルを求める前にシリンジが搭載された場合であっても、注入装置２は、薬液情報を取得したときに薬液情報を撮像装置３に送信する。
【００４７】
オペレーターが撮像条件を確認し撮像準備が完了すると、オペレーターは、撮像装置３の入力部３６を操作してディスプレイ３３に表示された確認ボタンを押す。そして、撮像装置３は、確認信号を注入装置２に送信し、撮像を開始できる状態で待機する。一方、オペレーターが注入条件を確認し注入準備が完了すると、オペレーターは、注入装置２のタッチパネル２６に表示された確認ボタンを押す。これにより、注入装置２は、確認信号を注入装置２に送信し、注入を開始できる状態で待機する。ここで、注入ヘッド２１の最終確認ボタンが押されていない場合、注入装置２は、タッチパネル２６に確認ボタンを表示しないことができる。なお、撮像準備の完了と注入準備の完了は、どちらが先であっても構わない。
【００４８】
撮像装置３が注入装置２から確認信号を受信し、且つ注入装置２が撮像装置３から確認信号を受信すると撮像準備及び注入準備が完了する。また、注入及び撮像が開始可能な状態となったときに、注入装置２及び撮像装置３は、オペレーターに対して視覚的又は聴覚的に検査開始を伝えてもよい。例えば、注入装置２及び撮像装置３は、検査開始を意味する表示を行うこと又は検査開始を意味する音を発することができる。そして、オペレーターは、撮像装置３に設けられた開始ボタンを押す。これにより、撮像装置３は、検査開始指令を注入装置２に送信する。そして、検査開始指令を受信した注入装置２は、求めた注入プロトコルに従って注入ヘッド２１に注入を開始させると共に、注入開始信号を撮像装置３に送信する。また、検査開始指令を受信した注入装置２は、撮像装置３から取得した撮像条件に基づいて注入開始から撮像開始までの時間を計算し、撮像開始時刻又は撮像開始までの残り時間等をヘッドディスプレイ２１１に表示させてもよい。これにより、オペレーターに対して検査室からの退避を促し、被曝を防止することができる。
【００４９】
なお、オペレーターは、注入装置２のタッチパネル２６に表示された開始ボタン、コンソール２３に接続されたハンドスイッチ、又は注入ヘッド２１に設けられたスタートボタン等を押すことにより検査を開始させることもできる。これにより、注入装置２は、検査開始指令を撮像装置３に送信する。そして、注入装置２は、求めた注入プロトコルに従って注入ヘッド２１に注入を開始させると共に、注入開始信号を撮像装置３に送信する。
【００５０】
その後、撮像装置３及び注入装置２は互いに同期して動作する。例えば、撮像装置３が撮像を停止した場合、撮像装置３は撮像停止信号を注入装置２に送信し、注入装置２は注入を停止する。また、注入装置２の注入が中止された場合、注入装置２は注入停止信号を撮像装置３に送信する。このとき、撮像装置３が撮像を停止させてもよい。
【００５１】
注入が終了したときに、注入装置２は、注入終了信号を撮像装置３に送信する。注入終了信号を受信した撮像装置３は、求めた撮像プランに従って撮像部３１に撮像を開始させると共に、撮像開始信号を注入装置２に送信する。ただし、撮像を開始するタイミングは、撮像プランに応じて適宜設定されている。例えば、撮像装置３は、注入終了前に撮像を開始すると共に、撮像開始信号を注入装置２に送信することもできる。この場合、注入開始信号を受信した撮像装置３は、内蔵されたタイマーにより注入開始からの時間を計測し、注入開始から所定時間経過後に撮像を開始する。また、撮像開始信号を受信した注入装置２は、薬液注入を停止してもよく又は薬液注入のフェーズを切り替えてもよい。なお、撮像装置３は、撮像が終了したときに、撮像終了信号を注入装置２に送信してもよい。
【００５２】
撮像が終了した後に、撮像装置３は、曝射時間情報を注入装置２に送信する。さらに、撮像装置３は、撮像した画像、及び曝射時間情報等をディスプレイ３３に表示する。そして、撮像装置３は、撮像日時、患者ＩＤ又は検査ＩＤ等の識別情報を撮像した画像に付与し、撮像結果としてサーバー１００に送信する。なお、撮像装置３は、テキストデータからなる撮像結果をサーバー１００に送信してもよい。
【００５３】
一方、注入装置２は、薬液を注入している間、注入プロトコルに対応した薬液の注入履歴を生成して記憶部２４に記憶させる。この注入履歴は、例えば、横軸と縦軸との一方が経過時間を示し、他方が注入速度、注入圧力、注入量又は積算注入量を示す経時グラフの画像データと、注入プロトコル、患者ＩＤ及び検査ＩＤ等のテキストデータとから構成される。そして、撮像装置３から曝射時間情報を受信した注入装置２は、注入ヘッド２１の注入履歴に曝射時間情報を付与してタッチパネル２６に表示する。
【００５４】
さらに、注入装置２は、撮像日時、患者ＩＤ又は検査ＩＤ等の識別情報を注入履歴に付与し、注入結果としてサーバー１００に送信する。そして、撮像結果及び注入結果のデータは、サーバー１００に記憶される。このようにして、薬液注入及び撮像を含む検査は終了する。これにより、撮像結果と注入結果とは、識別情報により互いに関連付けられた状態でサーバー１００に保存される。なお、撮像装置３が曝射時間情報等の撮像結果情報を送信するか否かは、オペレーターが任意に設定できる。この場合、注入装置２は、注入履歴に撮像結果情報を付与しないことになる。また、注入装置２は、注入結果のデータを撮像装置３に送信してもよい。
【００５５】
このように、注入装置２の記憶部２４は注入結果情報を記憶し、撮像装置３の記憶部３４は撮像結果情報を記憶する。そして、撮像装置３は、撮像結果情報を注入装置２に送信し、注入装置２は、撮像結果情報を注入結果情報に加える。そして、注入装置２は、撮像結果情報を含む注入結果情報を、注入結果としてサーバー１００に送信する。これにより、注入履歴に撮像結果情報を付与することができるので、検査内容の記録をより正確に保存することができる。
【００５６】
第１実施形態に係る撮像システム１によれば、撮像装置３が撮像プランを求めると共に注入装置２に送信する。そして、注入装置２は、受信した撮像プランの撮像条件に応じた注入条件を含む注入プロトコルを自動的に求める。さらに、注入装置２は、検査オーダーを撮像装置３から取得することができる。
【００５７】
検査オーダー及び撮像プランには、注入プロトコルを求めるための情報が含まれているので、オペレーターがこの情報を注入装置２に入力する作業を省くことができる。さらに、撮像装置３の表示部と注入装置２の表示部とを交互に見ながら、撮像プラン及び注入プロトコルを確認する必要がなくなる。これにより、撮像条件に応じた最適な注入条件の設定を容易に行うことができる。また、撮像条件に基づいて注入条件を求める際に、必要な情報の入力作業を省略できるので、誤入力及び誤操作を防止することができる。
【００５８】
さらに、撮像条件が変更された場合であっても、変更後の撮像条件に基づいて、注入装置２が注入条件を変更できる。例えば、撮像時間、管電圧、撮像範囲、回転速度、又はヘリカルピッチ等の撮像条件が変更されると、注入条件も変更される可能性がある。ここで、第１実施形態に係る撮像システム１によれば、変更後の撮像条件を注入装置２が撮像装置３から取得できる。そして、注入装置２が、変更後の撮像条件に応じた注入条件を含む注入プロトコルを自動的に求める。また、第１実施形態に係る撮像システム１によれば、注入装置２が薬液の注入可能条件を満たすように注入条件を求める。これにより、誤った注入条件に従って薬液が注入されてしまうことを、確実に防止することができる。
【００５９】
さらに、第１実施形態に係る撮像システム１によれば、注入可能条件を満たさない注入条件が誤って入力された場合、又は注入可能条件を満たさない注入条件へ変更された場合であっても、自動的に訂正することができる。
【００６０】
特に、撮像装置３を含む外部装置から注入条件が入力される場合、又はオペレーターが注入条件を変更する場合、この注入条件が注入ヘッド２１の能力を越えることが有り得る。この場合、実際には設定した注入条件では薬液を注入できないにも関わらず、撮像が開始されてしまう恐れがある。また、注入条件が、患者に対する注入可能条件を満たさないことが有り得る。この場合、設定した注入条件で薬液を注入してはならないが、注入が開始されてしまう恐れがある。これを防ぐためには、オペレーターが、注入条件を確認して正しい注入条件を注入装置２に入力する必要がある。この作業は、オペレーターに注意を強いるので負荷が大きい。また、オペレーターが注入装置２の設定を解除した上で再入力する場合もあり、作業が煩雑である。第１実施形態に係る撮像システム１によれば、このような負荷及び煩雑な作業を回避することができる。
【００６１】
なお、第１実施形態において、撮像条件、注入条件及び薬液情報の送受信等は、順番を異ならせることもできる。例えば、薬液情報の送受信が行われた後に、撮像条件の送受信が行われても構わない。また、撮像条件の確認が行われた後に、注入条件及び薬液情報の送受信が行われても構わない。さらに、撮像装置３は、表示部に注入プロトコルを表示するか否かを、オペレーターが選択可能に構成できる。また、注入装置２は、表示部に撮像プランを表示させるか否かを、オペレーターが選択可能に構成できる。
【００６２】
第１実施形態において、注入装置２の制御プログラムは、制御部２５（コンピュータ）に以下のような処理を実行させるソフトウェアである。すなわち、注入装置２が受信した撮像プランから第１撮像条件を取得したときに、制御プログラムは、第１撮像条件に応じた注入プロトコルの第１注入条件を制御部２５に求めさせる。そして、制御プログラムは、第１注入条件をタッチパネル２６に表示させる。その後、条件が変更された第２撮像条件を注入装置２が取得した場合、制御プログラムは、第２撮像条件に応じた第２注入条件を制御部２５に求めさせる。そして、制御プログラムは、第２注入条件をタッチパネル２６に表示させる。なお、この制御プログラムは、内部又は外部のコンピュータ読み取り可能な記録媒体に記録されている。
【００６３】
また、撮像装置３の制御プログラムは、制御部３５（コンピュータ）に以下のような処理を実行させるソフトウェアである。すなわち、撮像装置３が被写体情報を含む検査オーダーを外部から取得したときに、制御プログラムは、制御部３５に取得した検査オーダーを注入装置２へ送信させる。そして、制御プログラムは、被写体情報に基づいた第１撮像条件を制御部３５に求めさせる。そして、制御プログラムは、第１撮像条件を含む撮像プランをディスプレイ３３に表示させる。その後、オペレーターが第１撮像条件を第２撮像条件へ変更した場合、制御プログラムは、制御部３５に第２撮像条件を注入装置２へ送信させる。なお、この制御プログラムは、内部又は外部のコンピュータ読み取り可能な記録媒体に記録されている。
【００６４】
［第２実施形態］
第１実施形態において、オペレーターが注入プロトコルの注入条件を手動で変更する場合、タッチパネル２６を介して変更していた。第２実施形態の撮像システムでは、オペレーターが撮像装置３のディスプレイ３３に表示された注入プロトコルを確認し、入力部３６を介して注入条件を変更することができる点で第１実施形態と異なる。なお、第２実施形態の説明においては、第１実施形態との相違点について説明し、第１実施形態で説明した構成要素については同じ参照番号を付し、その説明を省略する。特に説明した場合を除き、同じ参照符号を付した構成要素は略同一の動作及び機能を奏し、その作用効果も略同一である。
【００６５】
第１実施形態と同様に、以下の説明における撮像装置３の各種処理は、制御プログラムに従い、撮像装置３の制御部３５によって制御される。同様に、注入装置２の各種処理は、制御プログラムに従い、注入装置２の制御部２５によって制御される。
【００６６】
図４に示すように、オペレーターが撮像装置３と注入装置２の電源をオンにすると、撮像装置３と注入装置２は、互いに接続・同期確認を行う。また、撮像装置３は、サーバー１００から検査オーダーを取得して、オペレーターが確認した検査オーダーを注入装置２に送信する。そして、注入装置２は、取得した検査オーダーに含まれる被写体情報等に基づいて注入プロトコルの事前注入条件を求める。
【００６７】
また、撮像装置３は、検査オーダーに含まれる被写体情報等に基づいて撮像プランの第１撮像条件を求め、オペレーターが確認した撮像プランを注入装置２に送信する。そして、注入装置２は、撮像プランの第１撮像条件に基づいて注入プロトコルの第１注入条件を自動的に求め、必要であれば事前注入条件を第１注入条件に変更する。
【００６８】
オペレーターが第１撮像条件を第２撮像条件へ変更した場合、撮像装置３は、変更された第２撮像条件を注入装置２に送信する。そして、注入装置２は、取得した第２撮像条件に応じて、注入プロトコルの第１注入条件を自動的に第２注入条件へ変更する。なお、注入装置２は、第１及び第２注入条件が薬液の注入可能条件を満たすように、注入プロトコルを求める。そして、第１注入条件が求められた場合及び第２注入条件へ変更された場合、注入装置２は、それぞれの注入条件を撮像装置３に送信する。
【００６９】
第２実施形態では、第１及び第２注入条件を受信した撮像装置３は、ディスプレイ３３に注入プロトコルとして表示させる。そして、オペレーターは、撮像装置３のディスプレイ３３で、注入プロトコルの内容を確認する。オペレーターによる確認の結果、患者の状態が変わった等、注入条件を変更する必要があれば、オペレーターは入力部３６から手動で注入条件を変更する。この場合、撮像装置３は、変更された注入条件を注入装置２に送信する。
【００７０】
撮像装置３から変更された注入条件を受信すると、注入装置２は、予め記憶部２４に記憶された薬液の注入可能条件と、変更された注入条件とを安全確認部２５１に比較させる。換言すると、注入装置２は、外部から注入条件を取得した場合に、この取得した注入条件が注入可能条件を満たすか否かを判断する安全確認部２５１を備えている。そして、変更された注入条件が薬液の注入可能条件を満たさない場合、注入装置２は、注入可能条件を満たす注入条件を求め、取得した注入条件を求められた注入条件へと自動的に再変更する。ここで、注入装置２は、再変更前の注入条件と、再変更前の注入条件をタッチパネル２６に表示してもよい。なお、注入条件が注入可能条件を満たさない場合、注入装置２は、タッチパネル２６に警告を表示させてもよい。
【００７１】
注入条件が再変更された場合、注入装置２は、再変更された注入条件を撮像装置３に送信する。そして、撮像装置３は、再変更された注入条件をディスプレイ３３に表示する。また、注入装置２は、薬液情報を取得すると、撮像装置３に薬液情報を送信する。そして、薬液情報を受信した撮像装置３は、ディスプレイ３３に薬液情報を表示させる。これにより、オペレーターは、撮像装置３のディスプレイ３３のみで、注入プロトコルの内容及び薬液情報の内容を確認することができる。
【００７２】
その後、撮像準備が完了すると、オペレーターは、第１実施形態と同様に撮像装置３の確認ボタンを押す。そして、撮像装置３は、確認信号を注入装置２に送信し、撮像を開始できる状態で待機する。一方、注入準備が完了すると、オペレーターは、注入装置２の確認ボタンを押す。これにより、注入装置２は、確認信号を注入装置２に送信し、注入を開始できる状態で待機する。そして、撮像装置３が注入装置２から確認信号を受信し、且つ注入装置２が撮像装置３から確認信号を受信すると撮像準備及び注入準備が完了する。
【００７３】
オペレーターが撮像装置３の開始ボタンを押すと、撮像装置３は、検査開始指令を注入装置２に送信する。そして、検査開始指令を受信した注入装置２は、求められた注入プロトコルに従って注入ヘッド２１に注入を開始させると共に、注入開始信号を撮像装置３に送信する。その後、注入が終了したときに、注入装置２は、注入終了信号を撮像装置３に送信する。
【００７４】
また、撮像装置３は、求められた撮像プランに従って撮像部３１に撮像を開始させると共に、撮像開始信号を注入装置２に送信する。そして、撮像が終了したときに、撮像装置３は、曝射時間情報を注入装置２に送信する。撮像装置３は撮像結果をサーバー１００に送信し、注入装置２は注入結果をサーバー１００に送信する。これにより、撮像結果及び注入結果のデータがサーバー１００に記憶される。
【００７５】
第２実施形態に係る撮像システム１によれば、撮像装置３で注入プロトコルの注入条件が変更された場合であっても、注入装置２に注入条件の安全確認を行わせることができる。これにより、誤った注入条件に従って薬液が注入されてしまうことを、確実に防止することができる。そのため、オペレーターの負荷及び煩雑な作業を回避することができる。
【００７６】
また、第２実施形態に係る撮像システム１によっても、第１実施形態と同様に、オペレーターが注入プロトコルを求めるための情報を注入装置２に入力する手間を省くことができる。さらに、撮像装置３の表示部と注入装置２の表示部とを交互に見ながら、撮像プラン及び注入プロトコルを確認する必要がなくなる。これにより、撮像条件に応じた最適な注入条件の設定を容易に行うことができる。また、撮像条件に基づいて注入条件を求める際に、必要な情報の入力作業を省略できるので、誤入力及び誤操作を防止することができる。
【００７７】
第２実施形態において、注入装置２の制御プログラムは、制御部２５（コンピュータ）に以下のような処理を実行させるソフトウェアである。すなわち、注入装置２が外部から注入条件を取得した場合に、制御プログラムは、安全確認部２５１に取得した注入条件が注入可能条件を満たすか否かを判断させる。そして、安全確認部２５１が注入可能条件を満たさないと判断した場合に、制御プログラムは、制御部２５に注入可能条件を満たす注入条件を求めさせ、取得した注入条件を求められた注入条件へと自動的に変更させる。その後、制御プログラムは、変更された注入条件を制御部２５に撮像装置３へと送信させる。
【００７８】
また、撮像装置３の制御プログラムは、制御部３５（コンピュータ）に以下のような処理を実行させるソフトウェアである。すなわち、撮像装置３において注入条件が変更された場合に、制御プログラムは、変更された注入条件を制御部３５に注入装置２へと送信させる。そして、自動的に変更された注入条件を注入装置２から受信した場合に、制御プログラムは、この受信した注入条件をディスプレイ３３に表示させる。
【００７９】
なお、第２実施形態の注入装置２は、注入条件の再変更を行うモードと、注入条件の再変更を省略するモードとを、オペレーターが選択可能なように構成してもよい。
【００８０】
以上、各実施形態を参照して本発明について説明したが、本発明は上記実施形態に限定されるものではない。本発明に反しない範囲で変更された発明、及び本発明と均等な発明も本発明に含まれる。また、上述の各実施形態及び各変形例は、本発明に反しない範囲で適宜組み合わせることができる。
【００８１】
例えば、注入装置２は、ゲートウェイ装置１１０を省略して、有線又は無線で撮像装置３に直接接続することもできる。また、ゲートウェイ装置１１０は、注入装置２又は撮像装置３と一体的に構成することもできる。また、注入装置２は、撮像した画像を撮像装置３又はサーバー１００から取得し、この画像と注入履歴とをタッチパネル２６に表示させることもできる。同様に、撮像装置３は、注入履歴を注入装置２又はサーバー１００から取得し、撮像した画像と注入履歴とをディスプレイ３３に表示させることもできる。さらに、注入装置２又は撮像装置３は、撮像した画像と注入履歴とを合成した画像を生成し、サーバー１００に保存させることもできる。なお、注入装置２は、検査オーダー等の情報をサーバー１００から取得することもできる。
【００８２】
また、撮像装置３は、注入装置２から受信した注入プロトコルから注入条件を取得し、注入条件に基づいて撮像プランの撮像条件を自動的に変更してもよい。また、撮像プランに応じた注入プロトコルを求める際に、注入装置２は、記憶部２４に記憶された複数の注入プロトコルの中から１つの注入プロトコルを選択してもよい。さらに、取得した検査オーダーに前回撮像時の注入プロトコルの情報が含まれている場合、注入装置２は、この注入プロトコルを選択してもよい。この場合であっても、注入装置２は、撮像装置３から受信した撮像プランの撮像条件に基づいて、注入プロトコルの注入条件の変更を行うことができる。
【００８３】
また、急患に対して検査を行う場合等、検査オーダーがサーバー１００に記憶されていない場合には、オペレーターは、必要な情報を撮像装置３及び注入装置２に直接入力することができる。この場合、撮像装置３は入力された情報に応じて撮像プランを求め、注入装置２も入力された情報に応じて注入プロトコルを求める。この場合であっても、注入装置２は、撮像装置３から受信した撮像プランの撮像条件に基づいて、注入プロトコルの注入条件の変更を行うことができる。また、オペレーターは、タッチパネル２６又はヘッドディスプレイ２１１により、注入プロトコル、撮像プラン又はその両方を確認することができる。そして、必要な場合にオペレーターは、注入プロトコル、撮像プラン又はその両方を手動で変更することもできる。さらに、注入ヘッド２１の操作部２１２に停止ボタンを設けることもできる。これにより、注入開始から曝射（撮像）開始までの間に、患者、注入装置２又は撮像装置３に異常があった場合、オペレーターが注入を停止できるので安全である。
【００８４】
また、注入装置２から薬液情報を受信した撮像装置３は、撮像プランの撮像条件を変更してもよい。例えば、造影剤の濃度に関する薬液情報を受信した場合、撮像装置３は、管電圧を増減するように撮像条件を自動的に変更してもよい。さらに、撮像装置３は、薬液情報に基づいて推奨される撮像条件を、ディスプレイ３３に表示してもよい。また、注入装置２は、薬液情報に基づいて推奨される撮像条件を撮像装置３に送信してもよい。この場合、撮像装置３は、受信した撮像条件を含むように撮像プランを変更するか、又は受信した撮像条件をディスプレイ３３に表示する。なお、注入装置２又は撮像装置３は、サーバー１００等の外部記憶装置に薬液情報を送信してもよい。この場合、外部記憶装置は受信した薬液情報を記憶する。例えば、会計システムを構成する外部記憶装置が造影剤の種類に関する薬液情報を記憶すると、造影剤の会計を正確に処理でき、手入力に起因する誤った金額の請求を防止できる。
【００８５】
また、撮像装置３の制御部３５は、独自注入プロトコル（独自注入条件）を求めるように構成することもできる。この場合、制御部３５は、注入装置２から受信した注入プロトコル（第１注入条件又は第２注入条件）と独自注入条件とを比較する。そして、制御部３５は、第１注入条件又は第２注入条件と独自注入条件とが一致しない場合、不一致通知を行うことによってオペレーターへ通知する。例えば、制御部３５は、不一致通知として、不一致を意味する表示を行う又は不一致を意味する音を発する。なお、制御部３５は、ディスプレイ３３に表示された確認ボタンが押された際に、注入条件の比較を行う。ただし、制御部３５は、確認信号を送信する際（図３及び図４）、第１注入条件又は第２注入条件を受信した際、又は確認信号を受信した際に、注入条件の比較を行ってもよい。
【００８６】
そして、不一致通知を受けたオペレーターは、注入装置２から受信した注入条件及び独自注入条件のいずれかを選択する。そして、制御部３５は、注入装置２から受信した注入条件が選択された場合には、独自注入条件を選択された注入条件に置き換え、確認信号を注入装置２へ送信する。一方、制御部３５は、独自注入条件が選択された場合には、選択された注入条件を注入装置２に送信する。そして、注入装置２の制御部２５は、求めた注入条件を選択された注入条件に置き換えて、確認信号を撮像装置３へ送信する。なお、選択された注入条件が注入可能条件を満たさない場合、注入装置２は、タッチパネル２６に警告を表示させてもよい。
【００８７】
また、撮像装置３の制御部３５は、注入量、注入速度、注入時間又は注入圧力のうち少なくとも１つが異なる場合、又はこれら以外の他の注入条件が注入装置２から受信した注入プロトコルに存在する場合に、不一致であると判断する。なお、ディスプレイ３３に表示される不一致通知には、不一致である旨の通知の他に、例えば、不一致の項目、それぞれの注入条件等が表示される。このような撮像装置３を含む撮像システム１によれば、オペレーターが望まない注入条件を変更することができる。これにより、誤った注入条件に従って薬液が注入されてしまうことを、確実に防止することができる。
【００８８】
また、注入装置２の制御部２５が、撮像装置３が求めた独自注入条件と、注入装置２が求めた注入条件（第１注入条件又は第２注入条件）とを比較し、両者が一致しない場合に不一致通知を行うように構成されてもよい。さらに、撮像装置３は、オペレーターが入力した注入条件を独自注入条件として比較してもよい。
【００８９】
［変形形態］
撮像装置３は、別の注入条件（第３注入条件）を注入装置２等の外部から取得してもよい。この場合、撮像装置３の制御部３５は、注入装置２から受信した注入条件（第１注入条件又は第２注入条件）と第３注入条件とを比較する。そして、制御部３５は、第１注入条件又は第２注入条件と第３注入条件とが一致しない場合、不一致通知を行うことによってオペレーターへ通知する。
【００９０】
この変形形態に係る撮像システムについて、図５を参照して説明する。なお、以下の説明における撮像装置３の各種処理は、制御プログラムに従い、撮像装置３の制御部３５によって制御される。同様に、注入装置２の各種処理は、制御プログラムに従い、注入装置２の制御部２５によって制御される。
【００９１】
図５に示すように、撮像装置３は、接続・同期確認後に、オペレーターが確認した検査オーダーを注入装置２に送信する。そして、注入装置２は、取得した検査オーダーに含まれる被写体情報等に基づいて注入プロトコルの事前注入条件を求める。また、撮像装置３は、検査オーダーに含まれる被写体情報等に基づいて撮像プランの第１撮像条件を求め、オペレーターが確認した撮像プランを注入装置２に送信する。そして、注入装置２は、撮像プランの第１撮像条件に基づいて注入プロトコルの第１注入条件を求め、必要であれば事前注入条件を第１注入条件に変更する。
【００９２】
オペレーターが第１撮像条件を第２撮像条件へ変更した場合、撮像装置３は、変更された第２撮像条件を注入装置２に送信する。そして、注入装置２は、取得した第２撮像条件に応じて、第１注入条件を第２注入条件へ変更する（図５の「注入条件変更」）。なお、注入装置２は、自動的に又は撮像装置３からの要求に応じて、第１注入条件及び第２注入条件を撮像装置３に送信している。
【００９３】
その後、注入条件の変更が必要であれば、オペレーターは注入装置２のタッチパネル２６から手動で注入条件を再変更する（図５の「注入条件再変更」）。そして、注入準備が完了すると、オペレーターは、注入装置２の確認ボタンを押す。これにより、注入装置２は、確認信号を注入装置２に送信し、注入を開始できる状態で待機する。ここで、図５に示す実施形態においては、注入条件が再変更された場合に、注入装置２は注入条件を撮像装置３に送信しない。
【００９４】
その後、撮像準備が完了すると、オペレーターは、撮像装置３の確認ボタンを押す。そして、撮像装置３は、確認信号を注入装置２に送信し、撮像を開始できる状態で待機する。ここで、注入装置２は、再変更された別の注入プロトコル（第３注入条件）を、撮像装置３に送信する（図５の「注入条件送信」）。そして、撮像装置３の制御部３５は、当該第３注入条件と、予め受信していた第１注入条件又は第２注入条件とを比較する（図５の「注入条件比較」）。
【００９５】
比較の結果、第１注入条件又は第２注入条件と第３注入条件とが一致しない場合、制御部３５は不一致通知を行うことによってオペレーターへ通知する。そして、不一致通知を受けたオペレーターは、予め受信していた第１注入条件又は第２注入条件と、第３注入条件とのいずれかを選択する。制御部３５は、第３注入条件が選択された場合には、予め受信していた第１注入条件又は第２注入条件を選択された第３注入条件に置き換え、確認信号を注入装置２へ再送信する。一方、制御部３５は、予め受信していた第１注入条件又は第２注入条件が選択された場合には、この選択された注入条件を注入装置２に送信する。そして、注入装置２の制御部２５は、第３注入条件を受信した注入条件に置き換えて、確認信号を撮像装置３へ再送信する。
【００９６】
撮像装置３が注入装置２から確認信号を受信し、且つ注入装置２が撮像装置３から確認信号を受信すると、撮像準備及び注入準備が完了する。そして、オペレーターが撮像装置３の開始ボタンを押すと、撮像装置３は、検査開始指令を注入装置２に送信する。なお、その後のフローは第１及び第２実施形態と同様であるので、その説明は省略する。
【００９７】
このような変形形態に係る撮像システム１によれば、誤った注入条件に従って薬液が注入されてしまうことを、確実に防止することができる。なお、撮像装置３は、第３注入条件を、サーバー１００又は外部記憶媒体から取得してもよい。また、第３注入条件は、オペレーターが撮像装置３に入力してもよい。また、第３注入条件の送受信は、上記説明とは異なるタイミングで行うこともできる。例えば、注入装置２は、確認信号と共に第３注入条件を送信してもよい。さらに、注入装置２は、注入条件を再変更した後に続けて第３注入条件を送信してもよい。なお、注入条件比較は、第３注入条件を取得した後に行われればよい。
【００９８】
この出願は２０１４年１月２２日に出願された日本国特許出願第２０１４−００９０９４号からの優先権を主張するものであり、その内容を引用してこの出願の一部とするものである。
【符号の説明】
【００９９】
１：撮像システム、２：注入装置、３：撮像装置、２０：通信部、２１：注入ヘッド、２２：スタンド、２３：コンソール、２４：記憶部、２５：制御部、２６：タッチパネル、３０：通信部、３１：撮像部、３２：制御装置、３３：ディスプレイ、３４：記憶部、３５：制御部、３６：入力部、１００：サーバー、１１０：ゲートウェイ装置、２１１：ヘッドディスプレイ、２１２：操作部、２５１：安全確認部
【図１】
2015111401.tif 000003
【図２】
2015111401.tif 000004
【図３】
2015111401.tif 000005
【図４】
2015111401.tif 000006
【図５】
2015111401.tif 000007
【国際調査報告】
2015111401.tif 000008
2015111401.tif 000009